(57)【要約】  スポーツ靴は、圧力時限消失マーカ流体を収容するタンク、該液体が噴出され、タンクと関連付けられ、逆止弁によって規制される開口部、無線受信カードを含み、逆止弁を開状態にさせるのに適し、少なくとも１枚の無線ネットワークカードを含む遠隔制御手段を用いて作動可能な電気機械式作動手段を備える。無線ネットワークカードと無線受信カードとの間には、制御手段を作動手段と接続するのに適し、且つ圧力液体を靴の開口部から噴出させるために、逆止弁において開状態にするのに適する、無線式接続が確立される。【選択図】図２
2020527999.tif 000002
【特許請求の範囲】
【請求項１】
圧力物質（１１１）を収容する少なくとも１個のタンク（１１）を有するスポーツ靴（１）であって、該スポーツ靴は：
−逆止弁（１２１）によって規制される、前記タンク（１１）に関連付けられた少なくとも１つの開口部（１２）、
−前記逆止弁（１２１）を開状態にするように適合された電気機械式作動手段（１３）
を含むこと、及び
−前記電気機械式作動手段（１３）は、少なくとも１枚の無線ネットワークカード（１５）を含む遠隔制御手段（１４）を通して制御可能であり、前記無線ネットワークカード（１５）は、無線受信カード（１３３）との無線通信を確立するのに、及び前記逆止弁（１２１）において前記開状態にするのに適すること、
−前記圧力物質（１１１）は、前記開口部（１２）から噴出されるのに適する時限消失マーキング液体であること
を特徴とする、スポーツ靴（１）。
【請求項２】
前記電気機械式作動手段（１３）は、動力手段（１３１）、エネルギ貯蔵手段（１３２）、及び無線受信カード（１３３）を含むことを特徴とする、請求項１に記載の靴（１）。
【請求項３】
前記遠隔制御手段（１４）は、腕時計（Ｏ）の入力ボタンを用いて手動で作動可能であり、前記腕時計（Ｏ）は、前記靴（１）に一意的に遠隔接続可能であることを特徴とする、請求項１に記載の靴（１）。
【請求項４】
前記遠隔制御手段（１４）は、ボタンを用いて手動で作動可能であり、前記ボタンは、前記靴（１）に一意的に遠隔接続可能であり、装着可能なアクセサリ上に定置するのに適することを特徴とする、請求項１に記載の靴（１）。
【請求項５】
前記靴（１）は、前記圧力物質（１１１）を前記タンク（１１）から前記開口部（１２）へと通過できるように適合させた接続手段（１６）を含むことを特徴とする、請求項１〜４のうちいずれか一項に記載の靴（１）。
【請求項６】
前記タンク（１１）は、空になると、前記タンクが新しい満タンのタンク（１１）と取替えできるように、取外し可能であることを特徴とする、請求項１〜５のうちいずれか一項に記載の靴（１）。
【請求項７】
前記タンク（１１）は、前記圧力物質（１１１）で外部から補充されるのに適することを特徴とする、請求項１〜３のうちいずれか一項に記載の靴（１）。
【請求項８】
前記無線ネットワークカード（１５）は、ブルートゥース（登録商標）式の無線接続を用いて、前記無線受信カード（１３３）に接続することを特徴とする、請求項１〜７のうちいずれか一項に記載の靴（１）。
【請求項９】
エネルギ貯蔵手段（１３２）は、二次電池であることを特徴とする、請求項１〜８のうちいずれか一項に記載の靴（１）。
【発明の詳細な説明】
【技術分野】
【０００１】
本発明は、スポーツアクセサリ、より詳細には、フットボール審判員用靴のスポーツアクセサリの分野に入る。この分野内で、本発明は、靴と技術支援アクセサリツールとが一体化したものとして提案される。
【背景技術】
【０００２】
今日、プロフットボールの審判員は、グラウンドの芝生上に一時的な線を印すための特別なスプレ缶を携帯している。この缶は、審判員の半ズボンの片側に、特別なゴム紐で掛着されて保持され、特定の距離又は特定の場所に印を付ける必要があるときに、グラウンド上の選手によってはっきりと視認可能な状態に保つように、審判員によって使用される。この器具は、必要なテスト期間後に、プロの審判員にとって必須になっており、芝生上に泡線を描くことは、フットボールの試合中、普通のジェスチャになっている。
【０００３】
芝生上の線を描くには、必ず、上記缶を使用して、グラウンドの芝生に表面的に印を付けるために、審判員が地面へと腰をかがめる必要がある。このジェスチャは、たとえ簡単であっても、試合中何回も繰返され、審判員が試合の全９０分間殆ど絶えず動いている（及び頻繁に走っている）状態を保つ労作（ｅｆｆｏｒｔ）を考えると、特に、試合の終盤のより疲れているときには、煩わしい労作となる場合がある。その上、こうした審判員のジェスチャ中、ゲームのシナリオを見失わざるを得なくなり、従って選手の行動も見失わざるを得なくなる。
【０００４】
そのため、線や基準点を地面に印すことが不可避だとすると、出来るだけ少ない労作を必要とし得る、且つ審判員に、小型であってもまだ嵩張る物体を保持させないで済む、グラウンドに印を付けるための別の方法を開発することが望ましい。  マーカ物質が、嵩張らず、装着可能な、又は、とにかく、審判員自身によって既に使用されているアクセサリに一体化可能な、タンク内に含まれることが、望ましいであろう。
【０００５】
以下に、加圧液体を含むタンクを靴又は装着可能なアクセサリに一体化する技術に関する以前の２特許文献について簡潔に述べる；しかしながら、この特許で提案された発明は、以下の記述から明らかになるように、異なる技術的解決方法で、異なる技術的課題を解決することを意図している。
【０００６】
先行技術文献である英国特許出願公開第２５２２６９２号明細書（特許文献１）では、タンクを含む個人用防御スプレシステムを備える靴が、保護されており、該タンク内には、加圧液体が収容され、該タンクは、踵後下部内の他、霧化及び加圧された形で液体自体を、発動、通過及び圧出するのに適する機関（ｏｒｇａｎ）に収納される。このメカニズムは、靴の踵を強制的に打撃することで、タンクを破壊し、その結果圧力が、噴霧圧出部材を通して液体を逃がすことによって、作動される。
【０００７】
以前の文献である韓国公開特許第２００２−００６２１１４号公報（特許文献２）では、ユーザの身体の任意の部分に装着された貯蔵容器から送られた水をスプレできる水スプレ装置を含む靴が、保護されている。この靴は、タンク、ノズル、給水管、ノズルを通して水をスプレする加圧手段、及び水のスプレを制御するための開閉手段を含む。開閉手段は、シリンダ、逆止弁、シリンダ内にある水を外に排出するためのボール、及び弾性要素を含む。
【０００８】
両方の前述した特許文献は、単独で、本発明の幾つかの部分的態様について記載しているが、いずれの場合も、本発明とは完全に異なる目的を、目指している。  
【先行技術文献】
【特許文献】
【０００９】
【特許文献１】英国特許出願公開第２５２２６９２号明細書
【特許文献２】韓国公開特許第２００２−００６２１１４号公報
【発明の概要】
【発明が解決しようとする課題】
【００１０】
本発明の目的は、従って、前述した先行技術の問題を解消できる改良された構造を有するスポーツ用靴を提供することである。
【００１１】
本発明の別の目的は、グラウンドに一時的に線や点の印を付ける必要があるときに、フットボール審判員を補助するのに使用できる改良された構造を有するスポーツ用靴を提供することである。
【００１２】
本発明の更なる目的は、フットボール審判員がグラウンドに印を付けるよう求められる度に、該審判員が地面へと腰をかがめなくて済む、改良された構造を有するスポーツ用靴を提供することである。
【００１３】
本発明の別の目的は、状態に応じて地面に印を付けられ、この状態は、審判員自身によって遠隔から手動で調節可能である、改良された構造を有するスポーツ用靴を提供することである。
【課題を解決するための手段】
【００１４】
本発明のこれらの及び他の目的は、圧力物質を収容する少なくとも１個のタンクを備えるスポーツ靴であって、該スポーツ靴は：逆止弁によって規制される少なくとも１つの開口部、及び逆止弁を開状態にするのに適し、動力手段、エネルギ貯蔵手段及び無線受信カードを含む電気機械式作動手段を含むことを特徴とするスポーツ靴を用いて、達成される。また、該靴は、電気機械式作動手段が、無線受信カードとの無線通信を確立するのに適する無線ネットワークカードを含み、逆止弁において開状態にするのに適する、遠隔制御手段を用いて遠隔操作できることも、特徴とする。該靴は、圧力物質が、逆止弁が開状態の場合に開口部から噴出されるのに適する時限消失マーキング液体であることを、更なる特徴とする。
【００１５】
有利には、遠隔制御手段は、靴に一意的に遠隔接続できる腕時計の入力ボタンを用いて手動で操作できる。
【００１６】
或いは、遠隔制御手段は、ボタンを用いて手動で操作でき、該ボタンは、靴に一意的に遠隔接続でき、装着可能なアクセサリ上に定置されるのに適する。
【００１７】
更に有利には、靴は、圧力物質をタンクから開口部に通過可能にするのに適する接続手段を含む。
【００１８】
更なる利点は、タンクが、同種類のタンクと取替え可能である点にある。
【００１９】
或いは、タンクは、圧力物質で外部から補充されるのに適する。
【００２０】
有利には、無線ネットワークカードは、ブルートゥース（登録商標）式の無線接続を用いて、無線受信カードに接続する。
【００２１】
更に有利には、エネルギ貯蔵手段は、二次電池である。
【００２２】
しかしながら、本発明の靴と関連するこれら及び他の利点及び特徴は、添付図の助けを借りて後述するような、非限定的な例示的実施形態の図説を通して、一層容易に理解されるであろう。
【図面の簡単な説明】
【００２３】
【図１】本発明の一実施形態の正面図を示している。
【図２】図１の実施形態の側面図を示している。
【図３】本発明の一実施形態のアクセサリの平面図を示している。
【図４】本発明の一実施形態の機能図を示している。
【発明を実施するための形態】
【００２４】
図１を参照すると、フットボール審判員によっても一般的に使用されるスポーツ競技用靴１は、締め紐を備える甲被Ｔ、該甲被Ｔにその輪郭に沿って接合される靴底Ｓであって、該靴底上に着脱可能な方法で挿入できる、又は幾つかの滑り止めを取得できる靴底Ｓを含む。図２で明らかなように、上記靴１は、小型のタンク１１を備えており、該タンクは、時限消失マーカ式の圧力物質１１１で充填され、甲被Ｔの後部領域で、甲被Ｔに外側で固定される一方、前部には、靴底Ｓの先端付近に、開口部１２があり、該開口部１２は、靴１の内部で、上記タンク１１に接続手段１６で接続されている。上記開口部１２は、その動作時に、逆止弁１２１によって規制されると共に、上記逆止弁１２１を状態に応じて開閉するのに適する電気機械式作動手段１３によって操作され、所定の方向に従い上記圧力物質１１１を噴出するように適合される。上記電気機械式作動手段１３は、より快適であるという仮定において、靴１内部で、上記開口部１２の付近に、配置され、恐らく、動力手段１３１、逆止弁１２１、上記動力手段１３１に給電するのに適する二次電池式のエネルギ貯蔵手段１３２、及び上記エネルギ貯蔵手段１３２によって給電され、調節及び制御アクセサリとの遠隔接続を確立するよう適合された、少なくとも１枚の無線受信カード１３３を含む。また、タンク１１は、該タンクの外面上に存在する専用弁を通して、上記タンク１１を貫通できる適当な器具を用いて、上記圧力物質１１１で充填及び補充されるのにも適する。このように、試合の終盤で、又はいつでも必要なときに、タンク１１を満タン状態に戻すことができ、十分な量の圧力物質１１１を、少なくとも１試合全体に亘り、確保できる。二次電池式のエネルギ貯蔵手段１３２は、適当な充電ケーブルを用いて、外部電流供給源に接続できる。この特徴は、タンク１１の補充も可能にすると共に、靴１を、長期間耐久可能にし、経済的にする。
【００２５】
図３は、本発明の実施形態のアクセサリである、時計Ｏを示しており、該時計Ｏは、プッシュボタン式の適当な制御手段１４を備え、該制御手段１４は、圧力によって作動でき、無線ネットワークカード１５を用いて、遠隔操作するのに適しており、該無線ネットワークカード１５は、上記時計Ｏの内部にあり、靴１自体の上記電気機械式作動手段１３である、靴１の無線受信カード１３３に一意的に接続される。無線ネットワークカード１５と無線受信カード１３３間で確立される無線接続は、ブルートゥース（登録商標）式が好ましいが、ｗｉ−ｆｉ式、赤外線等の接続も、常に無線式という条件で、依然として有効で効果的である。
【００２６】
図４は、本発明の実施形態の範囲に含まれる要素の組立体を模式的に示しており、該組立体の動作メカニズムをはっきりと説明している。どのように遠隔アクセサリ、この場合、時計Ｏが、制御手段１４によって駆動される無線ネットワークカード１５を用いて、靴１内に収容された電気機械式作動手段１３の無線受信カード１３３と通信できるかについて、注目する。制御手段１４は、時計Ｏに存在する特定のボタンの他、時計Ｏ自体に既にある他の制御ボタンを押圧することによって作動できる。制御信号が受信されるとすぐに、電気機械式作動手段１３は、逆止弁１２１の作動をトリガし、該作動により、圧力物質１１１の通路を開放して、開口部１２を通して噴出可能にする。このように、圧力物質１１１は、靴１からグラウンドの表面に向けて噴出され、その結果、審判員は、地面へと腰をかがめる必要なく、且つ試合の全時間中保持される更なる道具を使用する必要なく、同じグラウンド上に点又は線を印すことが可能になる。また、この実施形態は、コマンドを送るのを遥かに容易にするが、これは、時計Ｏは必要な道具で、常に審判員の手首に存在しているためである。グラウンドの表面上に噴出される圧力物質１１１は、これまでに特定されたように、時限消失マーカ式であり、そのために、該圧力物質のグラウンド上での持続性は、約１分にすぎない。
【００２７】
上述した本発明の変形実施形態では、遠隔制御手段が取付けられるアクセサリは、靴内に存在する無線受信カードと通信するための適当な無線ネットワークカードを備える単純なボタンとする。このボタンは、試合中に審判員が着用するどの衣服にも簡単に収納される。従って、このボタンは、シャツに、半ズボンに、リストバンド上に直接配置できる、又はポケットに入れられる小型の記録器上にも直接配置できる。この変形実施形態では、前の実施形態のように、審判員は、地面に印を付けることが要求されると、単にボタンを押圧し、靴の先を、開口部がグラウンドの表面に向いた状態に保たねばならない。
【００２８】
上述した発明の有利な変形実施形態は、タンクを取外し、同じ種類のタンクと取替える可能性を提供する。このように、タンクが空である、又は新たな試合を開始するのに十分な圧力物質がないとき、空のタンクは、補充を行うために更なる外部装置に頼る必要なく、満タンのタンクに取替えられる。従って、この特徴により、審判員自身が、完全に自主的に、容易に取替えできるようになる。この場合、タンクは、靴の本体に急速連結及び解放要素を備えるが、該要素は、有利には、圧力式とすることができる。
【００２９】
更なる変形実施形態では、タンクと開口部間の接続手段は、靴の外側、より詳細には、靴底の外輪郭の下に配置される。このように、例えば、靴の滑り止めが靴底を地面に対して僅かに浮かせたままの状態にできるために存在するような、グラウンドと靴底の下輪郭との間の利用可能な空間が、活用される。或いは、接続手段の通過は、常に、靴の外側だが、甲被に沿って表面的に行われる。
【００３０】
記載した実施形態の更なる変形例では、タンクは、前部に、靴の先近くに配置され、開口部は、タンクの外面に、接続手段が必要でないが、その代わりに、圧力物質を直接タンクから開口部自体を通して噴出できるように、配置される。開口部は、何れの場合も、同じ逆止弁によって動作される状態のままであり、該逆止弁は、同じ電気機械式作動手段によって、制御でき、該電気機械式作動手段は、制御要素自体によって遠隔制御でき、常に無線モードで制御要素と通信できる。この実施形態では、靴に取付けられる本発明の、より扱い難くなく、より経済的である各要素は、つま先付近に配置され、そのため、使用時の、及び最終的な靴の装飾時の自由度を高くできる。
【００３１】
一変形実施形態では、タンク内に存在する圧力物質の量を管理し、リアルタイムで表示するための時計ソフトウェアにおける特定のアプリケーションがある。このように、審判員は、圧力物質レベルを直ぐに把握でき、その結果、圧力物質の補充の可能性を評価できる。
【００３２】
勿論、実際に適用する際に生じる上記及び更なる変更例及び変形例は、以下のクレームで規定された保護範囲に依然として留まれば、提供され得る。
【図１】
2020527999.tif 000003
【図２】
2020527999.tif 000004
【図３】
2020527999.tif 000005
【図４】
2020527999.tif 000006
【国際調査報告】
2020527999.tif 000007
2020527999.tif 000008